Podtech/llm-jp-corpus-v4-ja_patent huggingface dataset:
(57)【要約】【課題】      激しい波浪や風、速い水流域に設置しても破損しない水中展張膜の係留方法を提供する。【解決手段】  水中展張膜の上縁部にフロートを設け、該水中展張膜の下縁部にテンションベルトを設け、該テンションベルトにアンカーワイヤーの一端を固定し、他端を水底に固定する、水中展張膜の係留方法【選択図】図２
2015232202.tif 000002
【特許請求の範囲】
【請求項１】
水中展張膜の上縁部にフロートを設け、該水中展張膜の下縁部にテンションベルトを設け、該テンションベルトにアンカーワイヤーの一端を固定し、他端を水底に固定することを特徴とする水中展張膜の係留方法。
【発明の詳細な説明】
【技術分野】
【０００１】
本発明は、海洋、港湾、ダム、河川、湖沼等における汚濁水等の拡散を防止するために設置される水中展張膜の係留方法に関する。
【背景技術】
【０００２】
従来、水中展張膜は、その上縁部にフロートを設け、下縁部には重錘を設けて該フロート部からアンカーワイヤーを取り水底に固定し、水中に展張していた。
【発明の概要】
【発明が解決しようとする課題】
【０００３】
しかしながら、従来のように水中展張膜の上縁部からアンカーを取った場合、例えば海上等に設置すると波浪、風、水流等による気象海象条件の最も高い海上表層でアンカー係留することになることから、海水面近傍にあるテンション部、係留部、フロート部、水中展張膜に大きな抵抗を受け、水中展張膜装置の破損の大きな原因となっていた。
そこで本発明者は、激しい波浪や風あるいは水流の速い場所に設置しても破損の生じない水中展張膜装置について種々研究を重ねた結果本発明を完成するに至った。
【課題を解決するための手段】
【０００４】
すなわち、本発明は、水中展張膜の上縁部にフロートを設け、該水中展張膜の下縁部にテンションベルトを設け、該テンションベルトにアンカーワイヤーの一端を固定し、他端を水底に固定する水中展張膜の係留方法である。
【発明の効果】
【０００５】
本発明方法の係留方法による水中展張膜装置は、水中展張膜の下縁部にテンションベルトが設けられているので荒悪天候時においてもその形状を保持することができる。またアンカーワイヤーをテンションベルトから取っていることから、水中展張膜は上部で拘束係留されていないため、吹き流しの様相を呈するので流体抵抗を減少させることができると共に水流等による水中展張膜の下端部の吹き上げも防止することができる。
さらに水中展張膜部がネット等で構成されている場合は、流体を細粒秩序する流体抵抗の透水構造であり、このことから水中展張膜部に微細汚濁粒子を付着沈澱させることができる
【０００６】
アンカーワイヤーもテンションベルトに固定しているために自然海象条件からの影響を緩和した位置で係留していることから破損を回避することができると共に、従来より細いワイヤーを使用することができ、且つアンカーを取る本数も減らすことができるので、水中展張膜装置の製造コストを下げることができる。
【図面の簡単な説明】
【０００７】
【図１】従来の水中展張膜の係留方法を示した側面図
【図２】本発明の水中展張膜の係留方法を示した正面図及び側面図
【図３】テンションベルト部の連結方法を示した状態図
【図４】緩衝ゴムリングを設けた状態を示した斜視図
【発明を実施するための形態】
【０００８】
図１は、従来の水中展張膜の係留方法を示した側面図である。水中展張膜１の上縁部にフロート２を設け、下縁部に重錘３を設ける。そしてアンカーワイヤー４の一端をフロート２部近傍に固定し、他端を水底のアンカー５に係留し、水中展張膜装置を構成する。
【０００９】
図２は本発明による水中展張膜装置の正面図及び側面図である。
本発明の水中展張膜６としては、例えばキャンバス地あるいはネットのような水透過性素材のもの、あるいはそれらを組み合わせたものが用いられる。例えば上部がネットで下部がキャンバス地からなるものや、上部がキャンバス地で下部がネットからなるもの、さらに上部がキャンバス地で中間部がネットで下部がキャンバス地からなるもの等が挙げられる。
またこれらの素材の表面に機能性物体を設けることが好ましい。
この機能性物体としては、例えばロープの芯の周りに複数のループ繊維を対角線にモール状加工した組紐、ロープの芯の周りに複数の小さなループ繊維を螺旋にモール状加工した組紐、ロープの芯の周りが繊維によってブラシ状に加工された組紐等が挙げられる。
水中展張膜６としてネットを用いる場合、１枚あるいは複数枚重ね合わせた状態のいずれの場合でも使用することができる。
【００１０】
次に本発明の水中展張膜の展張方法について図面を参照しながら説明する。
図２に示すように水中展張膜６の上縁部は繊維製、金属製等のロ−プ７に巻き付けられるようにして固定する。次にロープ７にフロート８を一体に設ける。一方水中展張膜６の下縁部には図３のようにその下部にテンションベルト９を取付金具１０等を用いて一体に設ける。またテンションベルト９の他の付設方法としては水中展張膜６の下端部をサンドイッチ状に挟持するように設けることもできる。テンションベルト９としてはゴム製コンベヤー等のものが挙げられる。ゴム製の場合は例えば厚さ５〜３０ｍｍ程度のものが、強度、可撓性の点から好ましい。またテンションベルト９としてゴム製の他にも繊維製のものが挙げられる。
前記テンションベルト９の下部には必要により重錘１１を設けることができる。
【００１１】
本発明における水中展張膜は連結することによって所望の長さに調節することができる。各水中展張膜の連結方法としては図３に示すようにロープ７の端部に設けられたシャックル等の連結具で結合させ（図示せず）、またテンションベルト９の結合は、図３に示すように可撓性ベルト１２の一端をテンションベルト９の表面部に固定１３し、他端を隣接するテンションベルト９の裏面部に固定１４する。次の可撓性ベルト１５は前記可撓性ベルト１２と逆の位置（すなわち一部が裏表面部で他端が表面部）に固定する。そしてテンションベルト９の幅によってこの順番で所望する本数の可撓性ベルト１２を設けることができる。
【００１２】
本発明の水中展張膜を水中に設置する場合、テンションベルト９にアンカーワイヤー１６の一端を固定し、他端を水底に設けられたアンカー１７に固定する。テンションベルト９とアンカーワイヤー１６の固定方法としては一点で固定しても、Ｙ字状になるように２点で固定してもよい。さらにアンカーワイヤー１６への衝撃を緩和するために、図４に示したようなタイヤを組合わせて調製した緩衝ゴムリング１８を設けることが好ましい。
【符号の説明】
【００１３】
６・・・・・水中展張膜
８・・・・・フロート
９・・・・・テンションベルト
１６・・・・・アンカーワイヤー
１７・・・・・アンカー
【図１】
2015232202.tif 000003
【図２】
2015232202.tif 000004
【図３】
2015232202.tif 000005
【図４】
2015232202.tif 000006
(57)【要約】【課題】４系統音声信号を記録するためにコンパクトディスクへの４系統音声信号記録方法を提供する。【解決手段】コンパクトディスクを２層にすることを特徴とする。【選択図】図１
2015232920.tif 000002
【特許請求の範囲】
【請求項１】
４系統音声信号を記録したコンパクトディスク
【発明の詳細な説明】
【技術分野】
【０００１】この発明はコンパクトディスクへの４系統音声信号記録方法に関するものである。
【背景技術】
【０００２】従来、コンパクトディスクは２系統音声信号で記録していた。
【先行技術文献】
【０００３】
【特許文献１】
【非特許文献１】
【発明の概要】
【発明が解決しようとする課題】
【０００４】これは次のような欠点があった。
（イ）コンパクトディスクに４系統音声信号を記録することができなかった。
本発明は、以上のような欠点をなくすためになされたものである。
【課題を解決するための手段】
【０００５】コンパクトディスクを２層にしなければならない。
本発明は、以上の構成によりなるコンパクトディスクへの４系統音声信号記録方法である。
【発明の効果】
【０００６】（イ）４系統音声信号をコンパクトディスクに記録できるようになる。
【図面の簡単な説明】
【０００７】
【図１】本発明の断面図である。
【発明を実施するための形態】
【０００８】以下、本発明を実施するための最良の形態について説明する。
コンパクトディスク（１）を２層に分ける。Ａ層に２系統（２）、Ｂ層に２系統（３）ずつ音声を記録する。
本発明は、以上のような構造である。
【符号の説明】
【０００９】１  コンパクトディスク
２  Ａ層
３  Ｂ層
【図１】
2015232920.tif 000003
(57)【要約】  【課題】ゴルフの練習において、初心者がクラブの番手に応じた最適のスイングプレ−ンを理解し体得することは困難であり、レッスンプロコーチの説明を聞いても理解することは困難で、身長、クラブの長短、スイングの方法等、個人のスイング構成の要素が多く、スイングプレ−ンは経験によって体得しているのが現状で、簡素な装置による練習器具は少ない、自分に適したスイングプレ−ンを自身で理解し身につけることはゴルフを始めるものにとって最も大きな課題である。  【解決手段】スイングプレ−ンに平行な平面を形成する２本の軸と角度調節軸を備え、前記２本の軸のうち一方の軸を地面に置き他方の軸の角度を前記角度調節軸によって調節することを特徴とするスイングプレ−ン定規を提供する。【選択図】図１
2015167836.tif 000002
【特許請求の範囲】
【請求項１】
スイングプレ−ンに平行な平面を形成する２本の軸と角度調節軸を備え、前記２本の軸のうち一方の軸を地面に置き他方の軸の角度を前記角度調節軸によって調節することを特徴とするスイングプレ−ン定規。
【請求項２】
前記角度調節軸と前記他方の軸との結節部分の位置に応じて前記他方の軸の角度を調節することを特徴とする請求項１記載のスイングプレ−ン定規。
【請求項３】
前記一方の軸と前記他方の軸を回転自在に結節し、前記他方の軸に対して前記一方の軸と対称となる位置に変位可能であることを特徴とする請求項１又は請求項２記載の
スイングプレ−ン定規。
【発明の詳細な説明】
【技術分野】
【０００１】
この発明は、スイングプレ−ンに平行な平面を形成する２本の軸と角度調節軸を備え、前記２本の軸のうち一方の軸を地面に置き他方の軸の角度を前記角度調節軸によって調節する器具に関する。
【背景技術】
【０００２】
従来からゴルフの練習において、初心者がクラブの番手に応じた最適のスイングプレ−ンを理解し体得することは困難であり、レッスンプロコーチの説明を聞いても理解することは困難で、身長、クラブの長短、スイングの方法等々スイング構成要素が多く、スイングプレ−ンは経験によって体得しているのが現状で、簡素な装置による学習器具は少ない。特許文献1「ゴルフ練習機」では環状の構造であり製作に手間がかかり又角度調節の確認が不明である点、特許文献２「ゴルフスイング練習器具」では簡単すぎてスイングプレ−ンを十分に確認できない点、特許文献３「ゴルフスイング練習装置」、特許文献４「ゴルフスイング体験装置」並びに特許文献５「ゴルフのスイング練習装置」は構造が複雑であり操作及び収納が簡単でない点、等々いずれも難点がある。このことを解決するために初心者でも手軽に操作できる実用的工夫を行ったものである。
【先行技術文献】
【特許文献】
【０００３】
【特許文献１】特開２０１３-２１５２５４号公報
【特許文献２】特開２０１０-０８２４０９号公報
【特許文献３】特開２００６-１２２０７４号公報
【特許文献４】特開平０８-０５７１０３号公報
【特許文献５】特開平０７-００８５８８号公報
【発明の概要】
【発明が解決しようとする課題】
【０００４】
従来スイングプレ−ンを理解する方法の１例として、ビデオ映像から自分の姿を指導者が修正する方法や、器具を使う方法もある、これらの方法は費用の問題や、器具の使用方法に問題があり、練習者自身だけで理解することは困難である。
この発明は練習者自身がスイングプレ−ンを学習できることを目的に、簡単に操作できる器具を提供することを課題とする。
【課題を解決するための手段】
【０００５】
スイングプレ−ンに平行な平面を形成する２本の軸と角度調節軸を備え、前記２本の軸のうち一方の軸を地面に置き他方の軸の角度を前記角度調節軸によって調節することを特徴とするスイングプレ−ン定規。
【発明の効果】
【０００６】
この発明によれば、ゴルフクラブのスイング練習において、スイングプレ−ン定規の傾きの角度調節を行うことにより、クラブの番手に応じたスイングプレ−ンに平行な平面を作り、この平面に沿ってクラブを振ることができる。
実際にスイングプレ−ン定規を使ってクラブの番手に応じたスイングプレ−ンを覚えてスイングすると、ゴルフ球を驚く程真直ぐに飛ばすことができた。
【図面の簡単な説明】
【０００７】
【図１】この発明の一実施形態を示す斜視図である。
【図２】スイングプレ−ン定規の正面図である。
【図３】スイングプレ−ン定規の平面の３つの接続部分の断面図である。
【図４】角度調節軸を取り付けるための他方の軸板と台座の先端部分図である。
【図５】解体したときの詳細図である。
【発明を実施するための最良の形態】
【０００８】
この発明の一実施形態を、図１〜図５に示す。
【実施例】
【０００９】
スイングプレ−ンに平行な平面を形成する２本の軸として、２本の凡そ１００ｃｍ〜２００ｃｍの板を用い軸板とし、この２本の軸板の各々の片方の端を面が平らになるように直交させ、軸板の交点からそれぞれの凡そ１００cmのところを板又は棒でつなぎ、直交する一方の軸板を地面に置き、他方の軸板を立て、２本の軸板が形成する平面をつくる。
【００１０】
２本の軸板の直交部分の地面から数ｃｍのところに手前方向に凡そ１００ｃｍ〜２００ｃｍの板を蝶番でとりつけ台座にし、台座の蝶番から凡そ１２０ｃｍ程度のところと立てた軸板の地面から凡そ１３０cmのところを角度調節軸で繋ぐ、台座との結節点は回転自在に、立てた軸板との結節点は脱着可能になるよう取り付ける。
【００１１】
角度調節軸の上端から細い穴又は切り込みを数ｃｍ間隔に数個穿ち、角度調節軸の長さを変化させることにより角度調節を行う。
【００１２】
組み立て及び運搬に便利なように、蝶番の部分以外は取り外しでき、直交する２本の軸板は凡そ１３０ｃｍの長さにし、短くなった部分は細い棒状のものを繋ぐ。
【００１３】
２本の軸板の結合を回転自在にすることで、左右対称に組み立てることができ、右利きの人にも左利きの人にも対応でき、右利きの器具と左利きの器具を１対にして並べるとスイングプレーンと平行な完全な平面を作ることができる。
【００１４】
実際に使用した自作品は、厚さ１９ｍｍ、幅９０ｍｍ、長さ１８ｃｍの板４枚を切断したものと、細長い丸棒２本、蝶番１個、ノブボルト３個、クロメ−ト鍋小ネジ２本、リピ−トタイ4本等で、総重量約４ｋｇであり、材料次第で軽量化も可能である。
【産業上の利用可能性】
【００１５】
スイングプレ−ン定規の製造及び操作は容易であり、ゴルフを始めた人にとってスイングプレ−ンを学習する課題が解決できることにより、継続してゴルフを楽しむことができゴルフ業界にとって朗報となる。
【符号の説明】
【００１６】
１  立てた軸板
２  地面に置いた軸板
３  角度調節軸
４  台座
５  ２本の軸板を繋ぐ棒
６、７  丸棒
８  蝶番
９  ２本の軸板を直交させて繋ぐ箇所
１０  立てた軸板の先端部であり、角度調節を行う箇所
１１  角度調節軸の支点となる箇所
１２、１３  ２本の軸板を繋ぐ棒の結節点
１４、１５、１６、１７  丸棒を留める箇所
【図１】
2015167836.tif 000003
【図２】
2015167836.tif 000004
【図３】
2015167836.tif 000005
【図４】
2015167836.tif 000006
【図５】
2015167836.tif 000007
(57)【要約】      （修正有）【課題】松葉杖での歩行に於いて、体重を活かして歩行を楽にする松葉杖が望まれている。【解決手段】体重を活かして、体勢の前進、立ち上がりをバネ1の力で、クッション効果と立ち上がりを楽にする効果の為に杖の軸にバネ1を装着する。【選択図】図２
2015167856.tif 000002
【特許請求の範囲】
１  パイプ構成の松葉杖の軸にさや管でバネを固定装着する。
【発明の詳細な説明】
【技術の分野】
福祉機器
【背景技術】日本では松葉杖と言う名称で特に大戦のたびに、傷病兵が用い、日常目にする福祉機器の一つですが、根本的な改善がなされないままで来ています。
【先行技術文献】
該当するケースは無い。
【発明の概要】
松葉杖の軸にバネを入れて、前進して体形的に立ち上がる際に、前進の際に押されてクッションとしても効果があったバネの反発力を効果的に活かして、体勢的に立ち上がりを楽にする。
【発明が解決しようとする課題】従来から基本的に変わらない、通称・松葉杖を改良して、体重を活かして歩行を楽にする。
【課題を解決する為の手段】
現状のパイプで構成された金属製の松葉杖の軸に、反発力を利用したバネを装着・バネ両端を軸に固定する。
【発明の効果】
松葉杖を利用しての歩行の際に体重を利用して、体勢を前進させる際にはクッションとしてやわらげ、立ち上がる体勢に於いてはバネの反発力で、より軽く立ち上がれる。
【図面の簡単な説明】
【図１】シリンダー状さや管でバネを内臓した杖の斜視図（１本のみを表示・以後とも同じ）
【図２】バネを軸に装着した松葉杖の軸を縦に縦断面（シリンダー状部分）した斜視図
【発明を実施する為の形態】
高い強度のパイプで構成する松葉杖の技術力を背景に軸の中にバネを装着する。
【符号の説明】１  装着したバネ
２  さや管
３  さや管の固定ナット
【図１】
2015167856.tif 000003
【図２】
2015167856.tif 000004
(57)【要約】【課題】動物の羽根の動きを真似て羽根を動かすとき、１つのモーターで左右の羽根を動かす機構は複雑であった、また価格も高く信頼性も低いものであった。【解決手段】左右の羽根を別々のモーターで駆動することにより、シンプル且つ低価格のものとなる。【選択図】図１
2015167855.tif 000002
【特許請求の範囲】
【請求項１】
羽根を羽ばたかせる機構に於いて、モーター２個を並べて取付盤に固定し、其々のモーターシャフトに羽根を羽根取付具で固定する。モーターを駆動する電圧は片方の極性を逆接続し、電源電圧のプラス、マイナスを交互にかけて羽根を羽ばたかせる。羽根の回転角は外部のスリットで行う制御方法で羽を羽ばたかせる方法。
【発明の詳細な説明】
【技術分野】
【０００１】この発明は羽根を動かす機構に関するものである。
【背景技術】
【０００２】２枚の羽根を開閉する機構を構成するとき、右回転、左回転を同時に動かすためにギアなどの複雑な構成が必要であった。
【発明の開示】
【発明が解決しようとする課題】
【０００３】これは、次のような欠点があった。ギアを使うと雑音が生じ動物に擬似させる物には向かず、機構も複雑にな上に破損しやすい。
【課題を解決するための手段】
【０００４】この解決方法として、左右の羽根の動きを別のモーターで担当駆動することである。２個のモーターの軸には直接羽根を付けて、モーターには極性を逆にした電圧を加えて羽根を羽ばたかせるようにする。
羽根の回転角は基盤のスリットの角度で調整する。
【発明の効果】
【０００５】モーターは本来高速回転するものであるが、回転軸に羽根を直接取り付ける為、羽根を回転させるとき、空気抵抗で負荷がかかりゆっくりと回転するため、実際の動物の動きに近似する。
【発明を実施するための最良の形態】
【０００６】取付盤（１）に２個のモーター１（２）とモーター２（３）を固着する。モーターのシャフト（４）に直接羽根取付具（５）を付けて羽根（６）を装着する。
羽根の回転角を決めるスリット（７）を付ける。
この装置に加える印加電圧（８）で  ＰＷＭ  又は直流の波形で極性を変えながら印加する。
【図面の簡単な説明】
【０００７】
【図１】本発明の平面図である。
【図２】本発明の断面図である。
【符号の説明】
【０００８】１  取付盤
２  モーター１
３  モーター２
４  モーターシャフト
５  羽根取付具
６  羽根
７  スリット
８  印加電圧
【図１】
2015167855.tif 000003
【図２】
2015167855.tif 000004
(57)【要約】【課題】台所で洗剤をスポンジ等を使って使用する際洗う物を一度置いて洗剤容器を持つ手間などがりこの発明はそのような事をせず使いたい所で使いたい量が使える便利な洗剤使用器具をつくる【解決手段】流し台の水道蛇口根元付近に可動式の洗剤設置アームを設けてすでに販売されている洗剤を下部プッシュボタンを押し上げると液が出るしくみの洗剤容器を取付する本発明は水道蛇口部から伸びた自在に動かす事が可能でアームに洗剤容器下部プッシュボタンのような所を押し上げ洗剤液を必要都度必要量ワンタッチで使えるようにしたものである【選択図】図１
2015167857.tif 000002
【特許請求の範囲】
【請求項１】
流し台、水道蛇口の根元付近に可動式のアームを設けてすでに販売されている洗剤入れ容器下部に洗剤取り出しするプッシュボタン式の容器をアーム先端部へ設置する
本発明は下部プッシュボタン洗剤取り出し式でアームは流し台のすきな所へ動かす事が出来て洗剤もワンタッチで必要最小限に使う事が出きて容器への洗剤は詰めかえして便利に洗剤が使える便利な洗剤使用器具
本発明は以上を特徴とするものである
【発明の詳細な説明】
【技術分野】
【０００１】この発明は台所洗剤を使用する際に便利に洗剤を使用できるよう工夫した便利な台所洗剤使用器具に関するものである
【背景技術】
【０００２】従来洗剤  洗剤入り容器を片手に持ちさかさにしてもう一方の手にスポンジ等を持ち洗剤容器をつまんで洗剤を取り出した後に容器を立てて元の位置にかえしていた
【先行技術文献】
【特許文献】
【０００３】
【発明の概要】
【発明が解決しようとする課題】
【０００４】これは次のような欠点があった
（イ）スポンジで茶わん等洗う際洗剤を使う際は一度茶わんを置きスポンジに洗剤をつけて又茶わんを持つと言う作業が必要である
（ロ）上記（イ）のように茶わんを置いたり取ったりがめんどうなため洗剤を多め使って洗剤も取ったり置いたりを省いていたため洗剤の使いすぎや水質を汚すと言う問題がある
（ハ）洗剤入り容器ごと買っていたので無駄金を使っている本発明は以上のような欠点をなくすためのものである
【課題を解決するための手段】
【０００５】流し台の水道蛇口部位に可動式洗剤設置アームを設けてすでに販売されている会社や学校など人の多く集まる所の手洗場に設けられている洗剤を下部プッシュボタンより取り出すタイプの容器を本発明の自在アームに設置して洗剤を使用する
本発明は流し台の水道蛇口の根元付近に可動式アームにすでにある下部にプッシュボタンのような所を押し上げる事で洗剤が出る詰めかえ式容器を設け洗剤必要都度小きざみに洗剤使用できるようにする
【発明の効果】
【０００６】（イ）洗剤を使う際洗う茶わんなどいちいち置いてスポンジ等に洗剤をつける作業をしなくてすむ
（ロ）何度でも簡単に洗剤使用が出来るので洗剤を無駄使いしないので水質の汚れも減少できる
（ハ）詰めかえ袋で購入して安価に買える又容器をゴミにすることがないので大気も汚れを少なくすることができる
【図面の簡単な説明】
【０００７】
【図１】台所等流し台の水道蛇口部位に設けた洗剤設置用アーム
【図２】市販されているタイプの下部プッシュボタン式液出しタイプの液容器
【発明を実施するための形態】
【０００８】以下、本発明を実施するための形態について説明する
流し台の水道蛇口が設置されている根本付近に洗剤使用の際は流し台の中央部などに回転して移動し伸縮も出来る洗剤設置用のアームと会社や学校など人が多く集まる手洗場などに設置の下部に洗剤とり出しのプッシボタンがついた洗剤容器をアーム先端に取付して洗剤の必要量だけ小きざみにスポンジ等に取り出して使う便利な洗剤使用器具である
【符号の説明】
【０００９】１．流し台等
２．水道蛇口
３．自在アーム
４  洗剤容器
５．洗剤取り出しプッシ式ボタン
６．詰めかえ用洗剤の袋
７．はさみ
【図１】
2015167857.tif 000003
【図２】
2015167857.tif 000004
(57)【要約】【課題】  裁鋏を研ぐ場合、２個の鋏体の刃を完全に研ぐためには両鋏体を分離する必要があるため、磁石を利用して容易に分解、組み立てのできる裁鋏を提供する。【解決手段】  鋏本体の一端に刃開閉部を連設し、刃開閉部に近い鋏本体の内側面に厚い円盤状の希土類磁石からなる支持体を、厚さの半分程度突出させて埋設し、これとは別に鋏本体と相似形状の鋏体で刃開閉部に近い内側面に、前記支持体の突出部分が嵌合される支持体受穴を設け、支持体受穴に支持体の突出部を嵌合させることによって構成されたことを特徴とする裁鋏。【選択図】図１
2015167854.tif 000002
【特許請求の範囲】
【請求項１】
内側辺に沿って刃を設け、内側面に小形の磁石を埋設した鋏本体の一端に指挿通穴を設けた刃開閉部を連設し、刃開閉部に近い鋏本体の内側面に厚い円盤状の希土類磁石からなる支持体を、厚さの半分程突出させて埋設し、これとは別に鋏本体と相似形状の鋏体で刃開閉部に近い内側面に、前記支持体の突出部分が嵌合される支持体受穴を設け、支持体受穴に支持体の突出部を嵌合させることによって構成されたことを特徴とする裁鋏。
【発明の詳細な説明】
【技術分野】
【０００１】  本発明は、紙類や布類、革類等を裁断する際に使用する裁鋏の改良に関するものである。
【背景技術】
【０００２】  従来、紙類、布類、革類等を裁断する場合、裁鋏を利用しているが、使用時間が長くなるにつれて鋏の切れ味が悪くなったり錆びたりするため、刃を研がなければならなかった。
又、研ぐ場合、そのままの状態で研ぐと正確で完全に研ぐことは難しいため、２個の刃を分離して研いでいたが、その分離や組み立てに手間がかかり、作業に支障をきたしていた。
【特許文献１】  特願平８−２９１０２９号公報
【特許文献２】  特願平１１−４３２１９号公報
【特許文献３】  特願平１１−６９４８０号公報
【特許文献４】  特願２０００−１３５７５９号公報
【発明の開示】
【発明が解決しようとする課題】
【０００３】  古くから広く利用されている裁鋏には次のような欠点があった。
２個の刃を分離して研ぐ場合、双方の刃を保持しているボルトとナットは素手で取りはずすことができないため、工具を使わなければならず、特に女性にとっては、工具の使用は勿論、鋏を研ぐことも不得手な作業であった。
又、かしめることによって双方の刃を保持している裁鋏の場合は次第に緩みが生じるため、緩みの程度によってかしめ直さなければならなかった。
又、ボルトとナットで双方の刃を保持している場合、ナットが緩むと双方の刃に隙間が生じ、紙類、衣類等が正確に裁断されない状態になる欠点があった。
本発明は上記問題点を解決するためになされたものである。
【課題を解決するための手段】
【０００４】  上記問題点を解決するため本発明は、２個の鋏体を保持しているボルトとナットの代りに１個の強力な磁力を有する円盤状の希土類磁石を使用することによって、工具を利用する必要もなく、双方の鋏体を分離して刃を研ぎ、研ぎ終ったら磁石の磁力によって簡単で確実に元の鋏体に復帰させることができる裁鋏を提供するものである。
【発明の効果】
【０００５】  上記のように構成された本発明の裁鋏には次のような効果がある。
衣類等を裁断する場合は別に問題ないが、鋏の刃を入念に研ぐ場合は、２個の鋏体を保持したままの状態では完全に研ぐことは難しいため、両体を離して別々に研ぐ必要があり、そのためには工具が必要で、一般の人にとっては容易にできる作業でないことから、２個の鋏体を保持しているボルトナットに代えて希土類磁石を使用することによって、工具等を必要とせず容易に両鋏体の着脱ができるようになり、従って、老若男女を問わず裁鋏を手軽に正確に研ぐことができるようになった。
又、支持体である円盤状の希土類磁石は永久に磁力が減退したり錆びたりすることがないので、防錆処理の必要はなく、交換する必要もない。
支持体が強力な磁力を有する希土類磁石であることと、鋏本体の内側面に埋設された小形磁石によって鋏本体に鋏体が強力に吸着されることによって薄い紙材、布材等でも確実に裁断される。
【発明を実施するための最良の形態】
【０００６】  以下本発明の実施の形態について説明する。
従来、鋏体を保持しているボルトの位置に１個の厚い円盤状の希土類磁石からなる支持体を半分程突出させて埋設した鋏本体と、これとは別に鋏本体と相似形状の鋏体で、刃開閉部に近い内側面に前記支持体の突出部分が嵌合される支持体受穴を設け、支持体受穴に支持体の突出部を嵌合させることによって、一丁の裁鋏が構成されるものである。
裁鋏を衣類等の裁断に使用する場合は従来と変りはないが、２個の鋏体を分離して研ぐ場合、鋏体は希土類磁石の支持体によって支持されているので、容易に分離することができ、１個ずつ正確に研ぐことができる。
【図面の簡単な説明】
【０００７】
【図１】  本発明の鋏本体の斜視図
【図２】  本発明の鋏体の斜視図
【図３】  鋏本体と鋏体の組み立て斜視図
【符号の説明】
【０００８】１    鋏本体
１ａ  鋏体
２    小形磁石
３    刃
４    支持体
４ａ  支持体受穴
５    鋏開閉部
５ａ  指挿通穴
Ａ    内側辺
Ｂ    内側面
【図１】
2015167854.tif 000003
【図２】
2015167854.tif 000004
【図３】
2015167854.tif 000005
(57)【要約】【課題】  従来の書見台は、何よりも重量重く、かさばり持ち運びに難があり、とても実用になりえなく、構造的にも読書人の要請にこたえられない。【解決手段】  請求項１の構成要件である、三つのコ字型鋼材（１鋼材ＡＢＣ）からなり、それらの各末端部に２鋼材締め付けネジを設けることによって、鋼材は立体的に構えることができる。そして、その立体正面に書籍を立てかけることの出来る折りたたみ式携帯書見台である。また、請求項２の構成要件として、１鋼材Ｃの底辺部に３ねじりコイルバネを装着することによって、左右に枝分かれしたバネ力により書籍ページが押さえられ、見開かれた状態で保持できる本・ページ押さえを特徴とするものである。【選択図】図１
2015167852.tif 000002
【特許請求の範囲】
【請求項１】
三つのコの字型鋼材（１鋼材  Ａ、Ｂ、Ｃ）からなり、それらの各末端部に２鋼材締め付けネジを設けることによって、鋼材は立体的逆Ｙの字形に立ち構えることができる。そして、その立ち構えられた正面に書籍を立て構えることのできる、折りたたみ式携帯書籍台である。
【請求項２】
１鋼材Ｃの底辺部に３ねじりコイルバネを装着することによって、書籍は、左右のバネ力によってページは見開かれた状態を保持できる。本・ページ押さえを特徴とする。
【発明の詳細な説明】
【技術分野】
【０００１】本発明は、折りたたみ書見台に関するものである。開かれた書籍ページがめくれ返らないようにするためにコイルバネを用いてページ押さえとした携帯書見台である。
【背景技術】
【０００２】従来の書見台は、構造的、材料的に重く、しかもかさばり持ち運び適したものではない。その利便性において、とても実用になり得なく、読書人の要望を満たすものではなかった。【０００３】読書時おいて、人は通常、机に向かい、平面状に書籍を置き、その手、指で書籍を支え、ページを押さえつけて読書を行っている。さもないと、書籍は自然にめくり返ってしまうのが普通である。
【先行技術文献】
【特許文献】
【０００４】
【特許文献１】  特許公開平５−１５４０１８  書見台
【特許文献２】  特許公開２００１−３７５５１  書見台
【特許文献３】  特許公開２００３−７０５５３  書見台
【特許文献４】  特許公開２００７−３３０７３４  書見台
【特許文献５】  特許公開平９−１５６２５３  ページ押さえ具
【特許文献６】  特許公開平１０−２０３０５０  本・楽譜押さえ
【特許文献７】  特許公開２００３−２５１９６２  ページ押さえクリップ
【非特許文献】
【０００５】
【非特許文献１】  書見台：ホーム＆オフィス・株式会社レイメイ藤井（カタログ）
【発明の概要】
【発明が解決しようとする課題】
【０００６】従来の書見台は前述の通り、構造的、使用材料的にかさばり、持ち運びに不便であり、何よりも使い勝手、利便性に乏しいものでもある。また、読書人に集中力を与え、最適な読書姿勢を保つため、書籍角度を任意に調節できるようにしなければならないことである。【０００７】通常、読書時には、机に書籍を開き、その手、又は指にて書籍を支え、そして、両眼より適度の距離をもって読書を行っている。しかしながら、書籍中の文章転記、引用する時など、書籍から一時的に眼を離さざるを得なくなる、しかも片手で当該書籍を支えページがめくれ返らないようにする必要があった。これら一連の動作は、著しく、読書、勉学の集中力が途切れる煩わしさがあった。
【問題を解決する為の手段】
【０００８】上記の課題を達成するために、本発明は（［請求項１］）ならびに（［請求項２］）により（ページ押さえ付き携帯書見台）を構成して、なお読書人に提供するものである。
【発明の効果】
【０００９】本発明は、次に列挙する効果が得られる。
（１）本発明は、折りたたみ式構造ゆえ軽量、シンプルである。
（２）コの字型の鋼材を束ねることによって書籍角度の調整が可能になった。
（３）しかも、ページめくり防止にねじりコイルバネを装着することにより、書籍ページ      が見開かれた状態で固定され、手、指で書籍を支える必要が無くなった。
（４）上記効果により、書籍より転記、引用する時の煩わしさが無くなり、集中力が途切      れることなく、好ましい読書、勉学の作業効率が得られた。
【図面の簡単な説明】
【００１０】
【図１】  本発明の形態斜視図である。
【図２】  本発明の正面図である。
【図３】  本発明の折りたたみ構造を示した断面図である。
【発明を実施するための形態】
【００１１】コの字型の三つの鋼材（１、鋼材Ａ、Ｂ、Ｃ）の各先端が一箇所に集合され、１鋼材Ａのみその各先端にネジが切ってある。ほか（鋼材Ｂ，鋼材Ｃ）の各先端は通し穴加工である。その集合された両端二箇所は（２、鋼材締め付けネジ）によって締結され、締め付ければ各鋼材は固定されることになる（図１参照）。そして、当該ネジを緩めることによって、そこを支点にして折りたためる構造となる（図２参照）
【００１２】次に、三つの鋼材（１鋼材Ａ、Ｂ、Ｃ）は、その支店を軸にして拡げることによって、１鋼材Ｂならびに１鋼材Ｃを底辺とする立体的な逆Ｙの字形に立ち構えられることが可能になる（図１参照）そして、立ち構えられた鋼材正面に書籍を立てかければ、書籍は任意の角度で保持されることになる。（図１，２参照）
携帯の用に供する時は、２鋼材締め付けネジを緩めることによって、１鋼材Ａ、Ｂ、Ｃは一箇所に折りたため、小さくコンパクトになり持ち運びに便利になる。
【００１３】また、１鋼材Ａの中心部に凹みを設けたことによって、当該書見台は、１鋼材Ｂ、Ｃを垂直状態にすることにより、壁面の釘、フックなどに引っ掛けることが可能になり、レストラン等のメニューなどを見開き状態で閲覧できることになる。
【００１４】次に、任意に角度設定された１鋼材Ｂならびに１鋼材Ｃを底辺とする立体的になった鋼材（１鋼材Ｂ）にねじりコイルバネを装着し、なお書籍をそのバネ間に差し込むことによって、左右のバネ圧縮力により書籍は開かれた状態で保持されることになる（図１，２、３参照）上記の結果、書籍は任意の角度を得られ、しかも書籍は開かれた状態であることによって、書籍を手、指で支える必要が無くなり、読書人は理想の姿勢で読書に集中できるのである。
【符号の説明】
【００１５】１  鋼材Ａ，Ｂ，Ｃ
２  鋼材締め付けネジ
３  ねじりコイルバネ
４  カラー
５  セットネジ
６  引っ掛け
【図１】
2015167852.tif 000003
【図２】
2015167852.tif 000004
【図３】
2015167852.tif 000005
(57)【要約】      （修正有）【課題】低速でのスノーボード操縦練習を、ゲレンデに行く事なく自宅でも、必要な動作を理解、反復練習出来て、気軽に安全に上達出来る装置を提供する。【解決手段】傾斜軸で回転するボードを設け、爪先側・踵側のレールを傾けることができる構造にすることで、前足荷重でのボード谷落とし回転、両足荷重移動操作でのノーズ方向操縦、谷落とし回転を途中で止めて斜滑降体勢と山側レール荷重体勢練習、ドリフトターンのボード回転とレール切り返し練習等を、手軽に安全に反復する。【選択図】図１
2015167849.tif 000002
【特許請求の範囲】
【請求項１】
傾斜の付いた回転軸で回転出来るボード（乗り板）を儲け、またそのボード（乗り板）は、爪先側・踵側に傾き、スノーボード低速での基本操作である、前足（フロント側）後ろ足（リア側）の体重移動でのボード回転操作と同時に必要なレール荷重調整を体験学習出来る装置。
体験出来る技術は、フロント・バック両側の斜面静止体勢、前足荷重でのノーズ落とし、後ろ足荷重でのボード回転調整、斜滑降体勢、直滑降体勢、連続左右回転でのドリフトターン体験などを手軽に安全に反復練習出来る装置である。
【発明の詳細な説明】
【発明の詳細な説明】
【発明に属する技術分野】
【０００１】低速でのスノーボード操縦は、前足（フロント側）、後足（リア側）への体重荷重移動操作でのノーズ方向操縦とレール荷重調整が同時に必要ですが、ほとんどの初心者や我流のスノーボーダーは、体重移動の理解も経験も無く、ゲレンデで操縦不能のまま暴走や激倒を繰り返し長い時間を掛けてスノーボード操縦技術を得とくしています。
本発明は、傾斜軸での回転ボード（乗り板）を儲け、体重を掛けた足が谷方向へ落ちる事を体感でき、前足、後ろ足の体重荷重調整でボードのノーズ方向を操作練習出来る装置。
また、ボードは爪先側、踵側に傾け出来る構造で、山側レールの必要性と体重荷重調整を体感・反復練習を手軽に安全に出来る事を目的とした装置である。
【背景技術】
【０００２】従来のスノーボードシュミレーションには、スケートボードやＴボード等が道路走行で使用されていますが、いずれも広い場所と固い路面で初心者には危険を伴う道具でした。
【発明が解決しようとする課題】
【０００３】ゲレンデでスクールを受けても、理解してない操縦行動を言葉で説明されて、経験していない体の動きを滑走しながら得とくしています、その為、操縦できるまで暴走と激倒を繰り返し危険や痛さを我慢して上達、またスキー場のみでの実践練習なのでターンを理解するまではシーズン単位の長時間掛かるものでした。
【課題を解決するための手段】
【０００４】低速でのスノーボード操縦基本を理解・反復練習を、室内でも出来るシュミレーション装置、傾斜軸で回転するボード（乗り板）を儲け、そのボードは爪先側・踵側のレールを傾けれ構造にした。
前足荷重でのボード谷落とし回転、両足荷重移動操作でのノーズ（先端）方向操縦、谷落とし回転を途中で止めて斜滑降体勢と山側レール荷重体勢練習、ドリフトターンのボート回転とレール切り替えし練習等を手軽に安全に反復練習出来る装置。
【発明を実施するための形態】
【０００５】本発明シュミレーション装置は、傾斜軸でのボード回転なので、谷側正面で踵レールを掛けてボードを斜面真横で静止状態（ゲレンデなら谷を向きボードを真横にしてる状態）
前足（フロント側）に体重荷重を移動、踵レール体重荷重を緩めるとフロント側が谷側へ回転する、
回転スピードやノーズ方向は、レール操作と後ろ足（リヤ側）への体重荷重操作で途中で止める事も戻すことも可能。
ボードの回転を途中で止めたら踵斜滑降、谷まで落としたら直滑降、谷を過ぎて逆方向まで回転させレールを切り返すとフロント側へのドリフトターン、
山側正面でボードを真横にして爪先側レールでスタートすると、爪先斜滑降から直滑降、レールを切り返してバック側へのドリフトターン
両方のターンを交互に繰り返して連続のドリフトターンも練習できる装置。
このように、シュミレーション装置でスノーボード動作反復運動練習が可能で、暴走や激倒の危険も無く、室内でもボード操縦方法を得とくできる装置。
【発明の効果】
【０００６】本発明シュミレーション装置は、低速でのスノーボード操縦練習を、ゲレンデに行く事なく自宅でも、必要な動作を理解、反復練習出来て、気軽に安全に上達出来る装置。
【図面の簡単な説明】
【図１】上面・側面・前面図
【図２】組み立て略図
【符号の説明】▲１▼：傾斜板
▲２▼：傾斜回転軸
▲３▼：ボード回転補助ベアリング（ブッシュ等も可能）
▲４▼：ボード回転補助車輪（▲３▼▲４▼はどちらか片方でも可能、数に制限なし）
▲５▼：ボード回転ベース
▲６▼：スポンジ素材（収縮が大きいレール圧感触材）
▲７▼：レール操作回転軸
▲８▼：レール止め
▲９▼：ボード（乗り板）
▲１０▼：バック足留め
▲１１▼：フロント足留め
【図１】
2015167849.tif 000003
【図２】
2015167849.tif 000004
(57)【要約】      （修正有）【課題】作業現場などで使用する、折り取り式替刃の携帯用刃折り器であって、様々な位置や体勢で刃折り作業を行えるとともに、ケース本体内部に折り取ったカッター刃が、刃折りスリット部分を下に向けても外部に出ることがなく、さらに、ケース内部で刃が動くことにより音鳴りすることを防げる携帯用刃折り器を提供する。【解決手段】刃折り器にベルト７と多方向に向いた刃折りスリット４を設けるとともに、スリット部分又は前記スリットを設けた本体部分の向きを回転又は反転など可変可能とする。また、ケース本体１に磁石６を設ける。【選択図】図１
2015167845.tif 000002
【特許請求の範囲】
【請求項１】
本体の少なくとも一部に、折り取り式替刃の刃を折り取るスリットを設け、前記スリットは少なくとも三方向以上からの刃折りを行える刃折り器。
【請求項２】
スリット部分又は前記スリットを設けた本体部分の向きを回転又は反転など可変可能とし、折り取り式替刃の折り取り方向を変えることが可能な刃折り器。
【請求項３】
前記本体にベルトなどを設け、腕などに装着可能な請求項１、請求項２に記載の刃折り器。
【請求項４】
前記本体にネジ穴や両面テープを設け、地ベラや直定規などに装着可能な請求項１、請求項２に記載の刃折り器。
【請求項５】
前記本体に磁石を設けた請求項１、請求項２に記載の刃折り器。
【請求項６】
前記スリットに弁を設けた請求項１、請求項２に記載の刃折り器。
【発明の詳細な説明】
【技術分野】
【０００１】この発明は、腕などに装着し逆さに向けても折った刃がこぼれ落ちず多方向から折り取れるカッター刃の刃折り器である。
【背景技術】
【０００２】従来の携帯用刃折り器は腰ベルトに装着して使用する構造であった。
【先行技術文献】
【０００３】
【特許文献１】実用新案公開平５−１９１８４号公報
【特許文献２】特許公開２００７−２５２４９４号公報
【発明の概要】
【発明が解決しようとする課題】
【０００４】これは次のような欠点があった。
従来、腰の位置に装着し、作業現場などで使用するとき、上部の施工でカッター刃が切れなくなったとき、その都度、腰の位置まで手を下ろさなければ刃を折れない。又、腰ベルトに装着する前提のため、上下を逆さにすると折り取った刃がこぼれ落ちたり、刃折りスリットの方向は一方向にしか設けられていないため、折り取る方向が一方向に限定される。本発明は以上のような欠点をなくすためになされたものである。
【課題を解決するための手段】
【０００５】ケース本体１に磁石６を設け、前記磁石に仕切り板２を隣接するように配置する。多方向に向いていて、刃が飛び出すことのない弁１０、１１、１２などを設けた刃折りスリット４を有する上蓋３で挟み込み、支柱接合ネジ８に止めネジ５で連結させる。又、ケース本体にバンド７を設ける。
本発明は以上の構成よりなる腕時計型刃折り器である。
【発明の効果】
【０００６】多方向に向いた刃折りスリットとバンドにより、腰の位置に限定されることなく、様々な位置や体勢で刃折り作業を行える。磁石と刃折りスリットに設けた弁により、ケース本体内部に折り取ったカッター刃は、刃折りスリット部分を下に向けても外部に出ることがない。その為、前記バンドで腕などに装着し使用したり、直定規や地ベラなどに両面テープやネジで接合し使用しても、様々な位置や角度で、刃折り作業が可能となる。また、前記磁石によりケース内部で、刃が動かないので、音鳴りする事もない。
【図面の簡単な説明】
【０００７】
【図１】本発明の分解斜視図である。
【図２】本発明の斜視図である。
【図３】本発明のスリット弁の図である。
【図４】本発明の放射状及び立体的スリットの図である。
【発明を実施するための形態】
【０００８】以下、図面を参照しながら本発明を実施するための形態について説明する。なお、本明細書及び図面においては、同一の符号が付された構成要素は実質的に同一の構造または機能を有する物とする。
【０００９】図１は本発明にかかる腕時計型刃折り器の一例として構成を示す分解斜視図である。１は本体を構成する折り刃収納ケースで、内部に磁石６を設け、外部にバンドを装着できることを特徴とする。
【００１０】２は仕切り板で、使用時［図２］には磁石に隣接する位置で、磁石と折り取った刃を隔てるように設ける。磁石６は磁力で不要刃を吸着させスリット４から折り取った刃がこぼれ出ないようにするだけでなく、ケース１内での不要刃の動きを止め音鳴りを防止する。止めネジ５を緩め、仕切り板２を持ち上げると、前記仕切り板と磁石との距離が大きくなることにより、不要刃に働いていた磁力が小さくなることで、不要刃の排出を容易にする。
【００１１】上蓋３に刃折りスリット４を多方向に向け設けることで、多方向からの刃折り作業が可能となる。又、上蓋を回転又は反転させることでも多方向からの刃折りが可能となる。その他図４のようにスリットの形状を放射状に変えることで、上蓋の大きさを変えずに、より大きな刃を折り取ることが可能となる。多方向に向けた刃折りスリットは図に記載した形状に限定されない。又、一平面だけでなく、立体的にスリットを設けることで、より、多方向からの刃折りが可能となる。［図４］
【００１２】又、上蓋とケース本体接続部分を円形にすることで、上蓋を回転させ、刃折りスリットの向きを自由に変えることもできる。
【００１３】ベルト７により、腕などに装着し刃折り作業を腰の位置に限定されることなく行える。又、ベルト７を外し、ネジ止め穴９にてネジ止めや両面テープなどにより地ベラや直定規に装着することでも同様の効果が得られる。
【００１４】図３はスリット内側に弁を設け、折り取った刃がこぼれ出るのを防ぐ構造で、１０はブラシ状の形体で弁の役割をする。１１は１０のブラシ状の本数を減らした例で、１２は板状にした弁である。
【００１５】横滑り防止段差１５は刃折り作業時、カッター本体の横滑りを止める段差で、凸でも凹でもよい。
【符号の説明】
【００１６】以上、図面を参照しながら本発明の好適な実施の形態について説明したが、本発明は上述した形態に限定されない。すなわち、特許請求の範囲に記載された発明の範囲内で当業者が想到し得る形態または各種の変更例についても本発明の技術的範囲に属するものと理解される。【００１７】１    折り刃収納ケース
２    仕切り板
３    上蓋
４    刃折りスリット
５    止めネジ
６    磁石
７    バンド
８    支柱接合ネジ穴
９    ネジ止め穴
１０  ブラシ弁
１１  少量ブラシ弁
１２  板状弁
１３  放射状のスリット
１４  立体的スリット
１５  横滑り防止段差
【図１】
2015167845.tif 000003
【図２】
2015167845.tif 000004
【図３】
2015167845.tif 000005
【図４】
2015167845.tif 000006
(57)【要約】【課題】しょう油を料理にかける際にテーブルにこぼれてテーブルクロスを汚したりする或いはもち運びに不便であった。しょう油瓶の底にしょう油が付いて汚れて不衛生である。本発明は、これを解決するためのこぼれないしょう油置き台を提供する。【解決手段】しょう油を入れた目盛付きの透明容器に留め金具で軸を通して透明容器が前後に振れて動くように取付け透明容器の上部に持ち上げ部を設け空気ダクトの穴をあけ片方で注ぎ口を設け、普段は取り外し自在蓋を付け、しょう油の補充の際に持ち上げ部中央にしょう油ロート部を接合したロート取付中空管を挿入する差し込み穴を設けた。【選択図】図１
2015167848.tif 000002
【特許請求の範囲】
【請求項１】
目盛を設けた透明容器の両端に容器固定金具で支えて、軸を取り付けた固定台に留め金具で透明容器が回転して振れるように取り付け、透明容器の上部に持ち上げ部に空気ダクトを設けて片方に注ぎ口を付けて、フロートと上下２箇所に停止網板を設け、しょう油の補充にロート取付中空管としょう油注ぎロート部を接合した、移動に便利で使い勝手が良いことを特徴とするこぼれないしょう油差し置き台。
【請求項２】
透明容器の持ち上げ部にロート取付中空管を挿入するロート取り付け穴をあけて、しょう油の補充に注ぎト部を載せて補充しない時は取り外し自在蓋を持ち上げ部の表面に取り付けることを特徴とする請求項１記載のこぼれないしょう油差し置き台。
【発明の詳細な説明】
【技術分野】
【０００１】本発明は、しょう油差しでこぼれず容易にしょう油を継ぎ足し可能でこぼれないしょう油置き台に関するものである。
【背景技術】
【０００２】  しょう油瓶は簡単な蓋に容器を付けたもので片方に注ぎ穴があり別の容器に注ぐものだった。
【発明の概要】
【発明が解決しようとする課題】
【０００３】  従来、しょう油を鍋に注ぐ場合には瓶全体を手で持ち傾けて使っていた。しかし床にこぼれあるいは、多く入れて料理を失敗する経験も多い。又無くなって瓶に足す場合、付属品を重ねて上から入れる手間が掛かるものであった。本発明は、以上の問題点を解決しようとするものである。
【課題を解決しようとする手段】
【０００４】  目盛を設けた透明容器の両端に容器固定金具で支えて軸を取付け固定台に留め金具で回転する固定台に振れるように取り付け、透明容器の上部に持ち上げ部に空気ダクトを設けて片方に注ぎ口を付け、フロートとその上下に停止網板を２箇所設け、普段は取り外し自在蓋を付けて使う場合としょう油を補充する場合、ロート取付中空管にしょう油注ぎロート部が付いている。
【発明の効果】
【０００５】  従来、本体を持ちあげて傾けていたしょう油差しを本発明により、固定台を食卓に滑らせて移動できる。しかも透明容器を持ち上げ部の片方を上方に持ち上げて、注ぎ口から鍋などに入れることができる。持ち上げ部に空気ダクトに指で穴を押さえて透明容器を傾けて鍋にしょう油を入れる際に空気ダクトの穴から指を離すことでしょう油が流れやすくなる。透明容器にしょう油をしょう油注ぎロート部から補充でき、容器を傾けるのでこぼすことが無くなる。
【図面の簡単な説明】
【０００６】
【図１】本体の構成の正面図
【図２】図１の側面図
【図３】本発明の斜視図
【発明を実施するための形態】
【０００７】以下、本発明の実施形態を図１及び図２ならびに図３を用いて説明する。
（イ）二股状になった固定台（２）に容器固定金具（１１）で軸（１２）を通して透明容      器（１）が留め金具（１０）で両端を固定して前後に揺れ動くようにする。
（ロ）透明容器（１）の表面に目盛（９）が記されている。透明容器（１）の上部に空気      ダクト（７）を設けた。
（ハ）持ち上げ部（６）の中心にロート取り付け穴（１５）が開いておりロート取付中空      管（４）にしょう油注ぎロート部（３）が接合されていてロート取付中空管（４）      の管の突起部分が差し込まれるようになっている。
（ニ）取り外し自在蓋（５）は持ち上げ部（６）の上部にセットできるようになっている      。
（ホ）注ぎ口（８）は透明容器（１）のしょう油の液体による比重からフロート（１３）が液体は満たされ水平状態で保たれた位置に浮いている。停止網板（１４）はフロート（１３）の上下に２箇所設けられている。
本発明は、以上の構造になっている。
【０００８】本発明を使用するときは、透明容器（１）の持ち上げ部（６）にある取り外し自在蓋（５）を取り外して持ち上げ部（６）の穴にしょう油取付中空管（４）と接合されているしょう油注ぎロート部（３）に差し込み、しょう油を透明容器（１）に補充する。取り外し蓋（５）を持ち上げ部（６）に取付け、持ち上げ部（６）の空気ダクト（７）の穴を指で塞ぎながら上方向に持ち上げる。透明容器（１）は傾いて空気ダクト（７）の穴を指で塞がないようにすると注ぎ口（８）から出てくる。使用後透明容器（１）をゆっくり離すと容器に入っているしょう油の重みで元の位置に戻る。透明容器（１）は正立の状態になる。しかも透明容器（１）に満たされたしょう油の液体で透明容器（１）を持ち上げ部（６）で傾けるとフロート（１３）は下に下がり停止網板（１４）の網部分から注ぎ口（８）にしょう油は流れ出る。
【符号の説明】
【０００９】１    透明容器    ２  固定台    ３  しょう油注ぎロート部
４  ロート取付中空管    ５  取り外し自在蓋    ６持ち上げ部
７  空気ダクト    ８  注ぎ口    ９    目盛  １０    留め金具
１１  容器固定金具    １２  軸  １３    フロート
１４  停止網板      １５    ロート取り付け穴
【図１】
2015167848.tif 000003
【図２】
2015167848.tif 000004
【図３】
2015167848.tif 000005